(57)【要約】【課題】会員のクレジットカード使用を奨励し、特約商店と、カード発行銀行の業務促進を達成するクレジットカード信用販売システム、及び計算方法を提供すること。【解決手段】発生したクレジットカード信用販売が特約店におけるものか否か判断する判別手段と、判別手段がクレジットカード信用販売が特約店におけるものであると判断した場合、取引金額から所定の比率の金額を控除し、控除金額を会員に還元する計算手段と、会員の関連データを保存する複数のノードであって、会員の存在する位置が複数の階層に分けられており、複数のノード間に階層の高低を有する複数のノードを具えるデータベースと、クレジットカード信用販売を行った会員と、会員を代表するノードより上層に位置するノードに代表される会員とに対してそれぞれ異なるパーセンテージで控除金額を分配する分配手段とによってなる。【選択図】  図３
2004246515.tif 000002
【特許請求の範囲】
【請求項１】
発生したクレジットカード信用販売が特約店におけるものか、非特約店におけるものかを判断する判別手段と、
該判別手段が、該発生したクレジットカード信用販売が該特約店におけるものであると判断した場合、該発生したクレジットカード信用販売による取引金額から所定の比率の金額を控除し、かつ該控除金額をシステムに登録された会員に対して還元する計算手段と、
会員の関連データを保存する複数のノードであって、該会員の存在する位置が複数の階層に分けられており、該複数のノード間に階層の高低を有する複数のノードを具えるデータベースと、
該発生したクレジットカード信用販売を行った会員と、該会員を代表するノードより上層に位置するノードに代表される会員とに対してそれぞれ異なるパーセンテージで該控除金額を分配する分配手段と
によってなることを特徴とするクレジットカード信用販売システム。
【請求項２】
前記データベース内の前記複数のノードは、ツリー構造を構成し、該複数のノードのそれぞれが下方に複数の分岐を有し、かつ該複数の分岐のそれぞれが下層のノードに接続することを特徴とする請求項１に記載のクレジットカード信用販売システム。
【請求項３】
前記複数のノードのそれぞれは、下方に３つの分岐を有することを特徴とする請求項２に記載のクレジットカード信用販売システム。
【請求項４】
前記控除金額は、前記発生したクレジットカード信用販売を行った会員を代表するノードより少なくとも３階層以上のノードに代表される会員に対して、それぞれ異なるパーセンテージで分配されることを特徴とする請求項１に記載のクレジットカード信用販売システム。
【請求項５】
会員の関連データを保存する複数のノードであって、かつ該会員の存在する位置が複数の階層に分けられており、該複数のノード間に階層の高低を有する複数のノードを具えるデータベースを含んでなるクレジットカード信用販売システムに応用される計算方法であって、
該クレジットカード信用販売システムに登録される会員がクレジットカード信用販売を行った場合、該クレジットカード信用販売が該クレジットカード信用販売システムの特約店において発生したものであるか否かを判断するステップと、
該発生したクレジットカード信用販売が該特約店におけるものであれば、該クレジットカード信用販売システムと該特約店との約定に基づいて、該クレジットカード信用販売の取引金額から所定の比率の金額を控除し、かつ該控除金額を該クレジットカード信用販売システムに登録された会員に還元するステップと、
該クレジットカード信用販売を行った会員と、該会員を代表するノードより上層に位置するノードに代表される会員とに対してそれぞれ異なるパーセンテージで該控除金額を分配するステップと
を含んでなることを特徴とするクレジットカード信用販売システムの計算方法。
【請求項６】
前記データベース内の前記複数のノードは、ツリー構造を構成し、該複数のノードのそれぞれが下方に複数の分岐を有し、かつ該複数の分岐のそれぞれが下層のノードに接続することを特徴とする請求項５に記載のクレジットカード信用販売システムの計算方法。
【請求項７】
前記複数のノードのそれぞれは、下方に３つの分岐を有することを特徴とする請求項６に記載のクレジットカード信用販売システムの計算方法。
【請求項８】
前記控除金額は、前記クレジットカード信用販売を行った会員を代表するノードより少なくとも３階層以上のノードに代表される会員に対して、それぞれ異なるパーセンテージで分配されることを特徴とする請求項５に記載のクレジットカード信用販売システムの計算方法。
【請求項９】
クレジットカード信用販売の計算方法をコンピュータで実行するためのプログラムを記録した記憶媒体であって、
該記憶媒体はコンピュータによって読み取り可能であり、
該コンピュータは、会員の関連データを保存する複数のノードであって、該会員の存在する位置が複数の階層に分けられており、該複数のノード間に階層の高低を有する複数のノードを具えるデータベースを具えてなり、
該クレジットカード信用販売システムの計算方法は、該クレジットカード信用販売システムに登録される会員がクレジットカード信用販売を行った場合、該クレジットカード信用販売が該クレジットカード信用販売システムの特約店において発生したものであるか否かを判断するステップと、
該発生したクレジットカード信用販売が該特約店におけるものであれば、該クレジットカード信用販売システムと該特約店との約定に基づいて、該クレジットカード信用販売の取引金額から所定の比率の金額を控除し、かつ該控除金額を該クレジットカード信用販売システムに登録された会員に還元するステップと、
該クレジットカード信用販売を行った会員と、該会員を代表するノードより上層に位置するノードに代表される会員とに対してそれぞれ異なるパーセンテージで該控除金額を分配するステップと
を含んでなることを特徴とするクレジットカード信用販売システムの計算方法を記録した記憶媒体。
【請求項１０】
前記データベース内の前記複数のノードは、ツリー構造を構成し、該複数のノードのそれぞれが下方に複数の分岐を有し、かつ該複数の分岐のそれぞれが下層のノードに接続することを特徴とする請求項９に記載のクレジットカード信用販売システムの計算方法を記録した記憶媒体。
【請求項１１】
前記複数のノードのそれぞれは、下方に３つの分岐を有することを特徴とする請求項１０に記載のクレジットカード信用販売システムの計算方法を既得した記憶媒体。
【請求項１２】
前記控除金額は、前記クレジットカード信用販売を行った会員を代表するノードより少なくとも３階層以上のノードに代表される会員に対して、それぞれ異なるパーセンテージで分配されることを特徴とする請求項９に記載のクレジットカード信用販売システムの計算方法を記録した記憶媒体。
【発明の詳細な説明】
【０００１】
【発明の属する技術分野】
本発明は、商取引システムに関し、特に、クレジットカードによる信用販売システム、その計算方法、および、その計算方法を実行するコンピュータが読み取り可能なプログラムを記録するコンピュータ読取可能媒体に関する。
【０００２】
【従来の技術】
従来のクレジットカードによる信用販売システムは、消費者が商店でクレジットカードを提示して商品を購入した後、消費者は、クレジットカード発行業者、もしくは銀行に相当金額を支払う単純なものであって、カード発行業者、もしくは銀行によって、消費者のクレジットカードによる購入金額が商店に支払われる。クレジットカードによる信用販売システムは、通常、このようなプロセスに基づいて信用販売を処理する。
【０００３】
一部のカード発行銀行は、ポイントカードを兼ね備えたクレジットカードを発行し、購入金額に応じて点数を付加するシステムで消費者のクレジットカードの使用を奨励している。但し、通常はかなりの点数を集めなければ景品がもらえない。また、提供される景品も些細なものである。さらに、一般のポイントカードの点数は、例えば日本円に換算して６０〜９０円（台湾の場合）の購入金額について１点ずつ付加される。よって、ポイントカードの点数を集めても、カードを利用する消費者に対して実質的な利益の還元につながらない。また、消費者も、通常、ポイントカードの点数計算は重視しない。よって、クレジットカードにポイントカードの機能を兼ね備えた方式は、消費者が該クレジットカード発行銀行の発行するクレジットカードを使用することの奨励にならない。
【０００４】
商店について言えば、多くの業者がクレジットカード発行銀行と特約していて、消費者が該クレジットカード発行銀行の発行する所定のカードを提示して商品を購入する場合、ディスカウントによる優待価格が得られる。但し、係るディスカウントは、通常、消費者にとって割引金額が少ないものであり、消費者の購買欲をそそるに足りないものである。よって新規で、進歩的なクレジットカード信用販売システムを開発することが消費者、商店、及びクレジットカード発行銀行、もしくはクレジットカード発行業者の間で望まれている。
【０００５】
【発明が解決しようとする課題】
本発明は、消費者がクレジットカードを提示して商品を購入した場合、取引金額を所定の比率で控除し、該消費者、もしくはその他システムの会員に対して実質的に還元し、消費者の購買意欲をそそると共に、特約店の販売促進と、クレジットカード発行銀行の信用販売業務促進を達成することのできるクレジットカード信用販売システム、及びその計算方法を提供することを課題とする。
【０００６】
本発明はまた、クレジットカード信用販売システムを実行し得るように、上記方法を実行するコンピュータ読み取り可能プログラムを記録するコンピュータ読取可能媒体を提供することを課題とする。
【０００７】
【課題を解決するための手段】
そこで、本発明者は従来のクレジットカード信用販売に見られる欠点に鑑み鋭意研究を重ねた結果、発生したクレジットカード信用販売が特約店におけるものか、非特約店におけるものかを判断する判別手段と、該判別手段が、特約店において発生したクレジットカード信用販売であると判断した場合、該信用販売による取引金額から所定の比率の金額を控除し、該控除金額をシステムに登録された会員に対して還元する計算手段と、会員の関連データを保存する複数のノードであって、かつ会員の存在する位置が複数の階層に分けられており、複数のノード間に階層の高低を有する複数のノードを具えるデータベースと、特約店においてクレジットカード信用販売を行った会員と、その会員の位置するノードより上位のノードに位置する会員とに、控除金額を異なるパーセンテージで分配する分配手段とによってなるクレジットカード信用販売システムの構造によって課題を解決できる点に着眼し、かかる知見に基づいて本発明を完成させた。
【０００８】
以下、この発明について具体的に説明する。
【０００９】
請求項１に記載するクレジットカード信用販売システムは、発生したクレジットカード信用販売が特約店におけるものか、非特約店におけるものかを判断する判別手段と、該判別手段が、該発生したクレジットカード信用販売が該特約店におけるものであると判断した場合、該クレジットカード信用販売による取引金額から所定の比率の金額を控除し、かつ該控除金額をシステムに登録された会員に対して還元する計算手段と、会員の関連データを保存する複数のノードであって、該会員の存在する位置が複数の階層に分けられており、該複数のノード間に階層の高低を有する複数のノードを具えるデータベースと、該発生したクレジットカード信用販売を行った会員と、該会員を代表するノードより上層に位置するノードに代表される会員とに対してそれぞれ異なるパーセンテージで該控除金額を分配する分配手段とによってなる。
【００１０】
請求項２に記載するクレジットカード信用販売システムは、請求項１におけるデータベース内の複数のノードが、ツリー構造を構成し、該複数のノードのそれぞれが下方に複数の分岐を有し、かつ該複数の分岐のそれぞれが下層のノードに接続する。
【００１１】
請求項３に記載するクレジットカード信用販売システムは、請求項２における複数のノードのそれぞれは、下方に３つの分岐を有する。
【００１２】
請求項４に記載するクレジットカード信用販売システムは、請求項１における控除金額を発生したクレジットカード信用販売を行った会員を代表するノードより少なくとも３階層以上のノードに代表される会員に対して、それぞれ異なるパーセンテージで分配する。
【００１３】
請求項５に記載するクレジットカード信用販売システムの計算方法は、会員の関連データを保存する複数のノードであって、該会員の存在する位置が複数の階層に分けられており、該複数のノード間に階層の高低を有する複数のノードを具えるデータベースを含んでなるクレジットカード信用販売システムに応用される計算方法であって、該クレジットカード信用販売システムに登録される会員がクレジットカード信用販売を行った場合、該クレジットカード信用販売が該クレジットカード信用販売システムの特約店において発生したものであるか否かを判断するステップと、該発生したクレジットカード信用販売が特約店におけるものであれば、該クレジットカード信用販売システムと特約店との約定に基づいて、該クレジットカード信用販売の取引金額から所定の比率の金額を控除し、かつ該控除金額を該クレジットカード信用販売システムに登録された会員に還元するステップと、該クレジットカード信用販売を行った会員と、該会員を代表するノードより上層に位置するノードに代表される会員とに対してそれぞれ異なるパーセンテージで該控除金額を分配するステップとを含んでなる。
【００１４】
請求項６に記載するクレジットカード信用販売システムの計算方法は、請求項５におけるデータベース内の複数のノードがツリー構造を構成し、該複数のノードのそれぞれが下方に複数の分岐を有し、かつ該複数の分岐のそれぞれが下層のノードに接続する。
【００１５】
請求項７に記載するクレジットカード信用販売システムの計算方法は、請求項６における複数のノードのそれぞれは、下方に３つの分岐を有する。
【００１６】
請求項８に記載するクレジットカード信用販売システムの計算方法は、請求項５における控除金額をクレジットカード信用販売を行った会員を代表するノードより少なくとも３階層以上のノードに代表される会員に対して、それぞれ異なるパーセンテージで分配する。
【００１７】
請求項９に記載するクレジットカード信用販売システムの計算方法を記録した記憶媒体は、クレジットカード信用販売の計算方法をコンピュータで実行するためのプログラムを記録した記憶媒体であって、該記憶媒体はコンピュータによって読み取り可能であり、該コンピュータは、会員の関連データを保存する複数のノードであって、該会員の存在する位置が複数の階層に分けられており、複数のノード間に階層の高低を有する複数のノードを具えるデータベースを具えてなり、該クレジットカード信用販売システムの計算方法は、該クレジットカード信用販売システムに登録される会員がクレジットカード信用販売を行った場合、該クレジットカード信用販売が該クレジットカード信用販売システムの特約店において発生したものであるか否かを判断するステップと、該生したクレジットカード信用販売が特約店におけるものであれば、該クレジットカード信用販売システムと特約店との約定に基づいて該信用販売の取引金額から所定の比率の金額を控除し、かつ該控除金額を該クレジットカード信用販売システムに登録された会員に還元するステップと、該クレジットカード信用販売を行った会員と、該会員を代表するノードより上層に位置するノードに代表される会員とに対してそれぞれ異なるパーセンテージで該控除金額を分配するステップとを含んでなる。
【００１８】
請求項１０に記載するクレジットカード信用販売システムの計算方法を記録した記憶媒体は、請求項９におけるデータベース内の複数のノードがツリー構造を構成し、該複数のノードのそれぞれが下方に複数の分岐を有し、かつ該複数の分岐のそれぞれが下層のノードに接続する。
【００１９】
請求項１１に記載するクレジットカード信用販売システムの計算方法を記録した記憶媒体は、請求項１０における複数のノードのそれぞれは、下方に３つの分岐を有する。
【００２０】
請求項１２に記載するクレジットカード信用販売システムの計算方法を記録した記憶媒体は、請求項９における控除金額をクレジットカード信用販売を行った会員を代表するノードより少なくとも３階層以上のノードに代表される会員に対して、それぞれ異なるパーセンテージで分配する。
【００２１】
【発明の実施の形態】
本発明は、クレジットカード信用販売システムと、及びその計算方法を提供するものであって、判別手段と、計算手段と、分配手段と、複数のノードを有するツリー構造を具えたデータベースとによって該クレジットカード信用販売システムを構成する。
【００２２】
係るクレジットカード信用販売システムと、及びその計算方法の特徴を詳述するために、具体的な実施例を挙げ、図示を参照にして以下に説明する。
【００２３】
【実施例】
図１に、本発明によるクレジットカード信用販売システム（１）を開示する。図面によれば、該クレジットカード信用販売システム（１）は、会員（２１）の商品購入によるクレジットカード信用販売を処理するシステムであって、判別手段（１１）と、計算手段（１２）とを含んでなる。判別手段（１１）は、会員（２１）がクレジットカードによって行った商取引が特約店（２２）におけるものか、非特約店におけるものかを判別する。仮に該システムが処理する商取引が、会員（２１）の特約店（２２）におけるクレジットカード信用販売であれば、該計算手段（１２）は、該クレジットカード信用販売の取引金額から所定の比率の金額を控除し、控除した金額をシステム内の会員に対して実質的に還元する。
【００２４】
本発明によるクレジットカード信用販売システム（１）は、別途データベース（１４）を具える。該データベース（１４）は、少なくとも１以上のツリー構造（例えば図２に開示するツリー構造（１００））を具える。ツリー構造（１００）は、ノード（ａ）からノード（ａ３３３）などに至る複数のノードを具え、それぞれのノードにはシステム内の会員に関するデータが保存される。また、それぞれのノードの下層は３つの分岐を有し、それぞれの分岐は下層のノードに接続する。例えば、第１層のノード（ａ）は３つの分岐を介してノード（ａ１）、（ａ２）、（ａ３）に接続する。同様に第２層のノード（ａ１）は、第３層のノード（ａ１１）、（ａ１２）、（ａ１３）に接続する。よって、それぞれのノードは階層の高低と順序とを有する。
【００２５】
前述の所定の比率によって控除された金額は、消費者である会員（２１）（例えばノード（ａ１１３））に対して実質的に還元する以外に、その一部を奨励金の方式で会員（２１）の存在する階層より上層に位置する複数の会員（例えばノード（ａ）、（ａ１）、（ａ１１））に分配する。よって、上層のノードによって代表される会員は、その下層によって代表されるノードの会員の分配する奨励金を受け取ることができる。このため、本発明によるクレジットカード信用販売システムは、さらに分配手段（１３）を具える。
【００２６】
該分配手段（１３）は、該所定の比率で控除された金額を異なる特定のパーセンテージで会員（２１）と、及び会員（２１）を代表するノードより上層に位置する複数のノードで代表される会員とに分配する。
【００２７】
実例を挙げて説明する。仮にある商品の標準小売価格が１００００元（台湾通貨、以下同じ）であり、その仕入れ価格が６５００元であった場合、会員の優待価格を８５００元とする。システムに登録された会員（２１）が所定のクレジットカードを特約店（２２）で提示して該商品を購買した場合、特約店（２２）は標準小売価格１００００元で販売する。よって、クレジットカードによる信用販売の取引金額は１００００元である。
【００２８】
会員（２１）が、特約店（２２）でクレジットカードを提示して商品を購入すると、クレジットカード信用販売システム（１）の判別手段（１１）が、該取引金額１００００元の信用販売がシステムに登録される特約店（２２）におけるものか否かを確認する。判別手段（１１）が、信用販売がシステムに登録される特約店（２２）におけるものであることを確認すると、計算手段（１２）は、システムと該特約店（２２）との約定に基づき、該信用販売の取引金額から所定の比率の金額を控除する。例えば、前記取引金額である１００００元は、控除金額が３０００元であって、残りの７０００元（１００００元−３０００元＝７０００元）を特約店（２２）に支払う。特約店（２２）は５００元の粗利益を得ることができる（７０００元−６５００元＝５００元）。
【００２９】
データベース（１４）に保存されたノードに代表される消費者（２１）の前記取引金額１００００元に係る分配金３０００元は、分配手段（１３）によって分配される。即ち、分配金３０００元の内１５００元を消費者（２１）に還元し、消費者（２１）を代表するノードに奨励金として累計する。残りの１５００元（３０００元−１５００元＝１５００元）は、その４０％を利潤奨励金として、消費者（２１）を代表するノードより上層に位置する１０個のノードに代表される他の会員に分配される。よって、該１０個のノードに代表される会員は、利潤奨励金として６０元得ることができ、それぞれのノードの奨励金に累計する。残りの金額（１５００元の６０％）は、システムの運営費用とする。
【００３０】
よって、本発明によるクレジットカード信用販売システム（１）を利用した場合、システム内の会員（２１）が特約店（２２）でクレジットカードを提示して商品を購買した場合、上述の実例のように消費者（２１）は８５００元（１００００元−１５００元）で標準価格１００００元の商品を購買することができるとともに、消費者（２１）を代表するノードより上層に位置する複数のノードで代表される他の会員は利潤奨励金を得ることができる。
【００３１】
システム内の会員（２１）は、特約店（２２）において商品を購入することによって、実質的な利益の還元が得られるため、会員が所定のクレジットカードを持参して特約店で消費することの意欲と信頼度を高めることができる。したがって、特約店（２２）の販売促進となり、売上が増加することによって、より多くの利潤が得られる。また、クレジットカード発行銀行（２３）にとっても、クレジットカードの使用回数と取引額が増加することによって、クレジットカード業務の量が増加する。
【００３２】
本発明によれば、カードは上述のクレジットカードに限定されない。カードは、クレジットカード、価値保存（ｓｔｏｒｅｄ−ｖａｌｕｅｄ  ｃａｒｄ）、スマートカード、ＩＣカード、デビットカード、コンボカード、または、モンデックスカード（ｍｏｎｄｅｘ  ｃａｒｄ）であり得る。
【００３３】
図３は、本発明によるクレジットカード信用販売の計算方法に係るフローチャートである。図面によれば、３０１のステップにおいて会員の関連データをデータベースに保存する。該データベースは複数のノードを具え、該複数のノードに代表される会員の関連データを保存する。また、該複数のノードは複数の階層と所定の順序とを有する。
【００３４】
３０２のステップにおいて、システムに登録された消費者（２１）が特約店でクレジットカードを提示して商品を購入する。
【００３５】
３０３のステップにおいて、発生した信用販売が特約店において為されたものであるか否か判断し、仮に発生した信用販売が、システムに登録された消費者によって非特約店において為されたものであれば、３０４のステップにおいて一般のクレジットカード信用販売の料金計算方法に基づいて、発生した該信用販売の取引金額を計算する。
【００３６】
仮に発生した信用販売が、システムに登録された消費者によって特約店において為されたものであれば、３０５のステップにおいてシステムと特約店との約定に基づいて、発生した該信用販売の取引金額から特定の比率の金額を控除する。
【００３７】
３０６のステップにおいて、特定の比率で控除した金額を異なるパーセンテージで消費者（２１）と、消費者（２１）を代表するノードより上層に位置する複数のノードで代表される他の会員とにそれぞれ分配する。
【００３８】
前記の方法は、コンピュータのプログラムと、コマンドとを応用して行う。該プログラムは、コンピュータ、もしくはその他プログラマブルなデータ処理装置によって、図３のブロック内に記載するワークを実行する。該プログラムは、コンピュータなどが読み取り可能な記憶媒体（磁気テープ、磁気ディスク、光ディスク、ハードディスク、もしくは集積回路など）に記録し、コンピュータなどの使用に供する。よって、コンピュータによって本発明の方法を実行するプログラムを記録してなり、かつコンピュータによって読み取り可能な記憶媒体も本発明の実施の範囲に含まれる。
【００３９】
以上は、本発明の好ましい実施例であって、本発明の実施の範囲を限定するものではない。よって、当業者の為し得る修正、もしくは変更であって、本発明の精神の下においてなされ、本発明に対して均等の効果を有するものは、いずれも本発明の特許請求の範囲に属するものとする。
【００４０】
【発明の効果】
本発明によるクレジットカード信用販売システム、及びその計算方法によれば、消費者がクレジットカードを提示して商品を購入した場合、取引金額を所定の比率で控除し、該消費者、もしくはその他システムの会員に対して実質的に還元するため、消費者の購買意欲をそそる効果を有する。
【００４１】
また、特約店の販売促進と、クレジットカード発行銀行の信用販売業務促進を達成する効果を有する。
【図面の簡単な説明】
【図１】本発明によるクレジットカード信用販売システムの構造を表わすブロック図である。
【図２】図１におけるデータベース内のツリー構造を表わす説明図である。
【図３】本発明によるクレジットカード信用販売システムの計算方法を表わすフローチャートである。
【符号の説明】
１  クレジットカード信用販売システム
１００  ツリー構造
１１  判別手段
１２  計算手段
１３  分配手段
１４  データベース
２１  会員
２２  特約店
２３  クレジットカード発行銀行
ａ、ａ１、ａ１１、ａ１１３、ａ１２、ａ１３、ａ２、ａ３、ａ３３３  ノード
【図１】
2004246515.tif 000003
【図２】
2004246515.tif 000004
【図３】
2004246515.tif 000005